(57)【要約】      （修正有）【課題】他の食器具を安定的に保持できると共に、使い勝手のよい食器具を提供する。【解決手段】底面１１から立ち上がった側面１２の縁部１３に、少なくとも一部が棒状である戴置対象の食器具を戴置するための溝形状の戴置部１４を有している。側面１２の縁部１３には、任意の点Ａから略等間隔の位置に、戴置部１４としての切り欠き状の溝部１４ａ及び１４ｂが形成されている。利用者は、戴置対象の食器具（主に全体又は柄等、少なくとも一部が棒状の食器具、例えば、箸９１やスプーン９２、フォーク、ナイフ等）を、溝部１４ａ又は１４ｂの一方に立てかけたり、両方の溝部に掛け渡して置いたりすることで、食器具１に安定的に載置することができる。【選択図】図１
0003169517.tif 000002
【実用新案登録請求の範囲】
【請求項１】
底面から立ち上がった側面の縁部に、少なくとも一部が棒状である戴置対象の食器具を戴置するための戴置部を有し、
前記戴置部は、溝及び貫通孔の少なくとも何れかで形成されていること
を特徴とする食器具。
【請求項２】
請求項１に記載の食器具であって、
前記戴置部が、複数形成されていること
を特徴とする食器具。
【請求項３】
請求項２に記載の食器具であって、
前記戴置部の高さが、夫々異なるよう形成されていること
を特徴とする食器具。
【請求項４】
請求項１から３の何れか一項に記載の食器具であって、
略楕円形であり、
前記載置部は、前記戴置対象の食器具が楕円の焦点方向に向いて戴置されるよう形成されていること
を特徴とする食器具。
【請求項５】
請求項１から４の何れか一項に記載の食器具であって、
前記側面は、径の一端側が最も高く、他端側が最も低く構成され、
最も高い側面は、底面から８０度以上の角度で立ち上がり、かつ、外方に湾曲するよう形成されていること
を特徴とする食器具。
【請求項６】
請求項１から５の何れか一項に記載の食器具であって、
前記底面に、畝形状の仕切りが形成されていること
を特徴とする食器具。
【請求項７】
請求項１から６の何れか一項に記載の食器具であって、
前記側面に把持部を備えていること
を特徴とする食器具。
【請求項８】
請求項１から６の何れか一項に記載の食器具であって、
前記側面に把持部を備え、
前記把持部の少なくとも一方の側面には、ワイングラスに沿って当接する形状を有する当接部が形成されていること
を特徴とする食器具。
【考案の詳細な説明】
【技術分野】
【０００１】
本考案は、飲食に用いる食器具に関する。
【背景技術】
【０００２】
飲食に用いられる飲食用の皿には、食材を盛る盛り皿、食材を取り分ける取り皿、ソースや醤油等の液体調味料を入れて使用するたれ皿等、多様な用途に応じた形状のものが出回っている。中には、箸やスプーン、フォーク、ナイフ等、他の食器具を保持する機能を有するものがある。
【０００３】
例えば、特許文献１には、食器に着脱可能なＬ字形状の箸戴置部を設けたものが開示されている。しかしながらこのような構成の食器具では、箸戴置部が食器の外縁部より外側に出っ張っているため、食材の盛りつけに違和感が生じたり、洗浄がし難かったり、箸戴置部が狭いために不安定さを感じる可能性があった。
【先行技術文献】
【特許文献】
【０００４】
【特許文献１】登録実用新案第３０９６６６５号公報
【考案の概要】
【考案が解決しようとする課題】
【０００５】
そこで本考案は、他の食器具を安定的に保持できると共に、使い勝手のよい食器具を提供することを目的とする。
【課題を解決するための手段】
【０００６】
上記課題を解決するために、本考案の食器具は、底面から立ち上がった側面の縁部に、少なくとも一部が棒状である戴置対象の食器具を戴置するための戴置部を有し、前記戴置部は、溝及び貫通孔の少なくとも何れかで形成されていることを特徴とする。
【考案の効果】
【０００７】
本考案によれば、他の食器具を安定的に保持できると共に、使い勝手のよい食器具を提供できる。
【図面の簡単な説明】
【０００８】
【図１】（ａ）本考案の第一の実施形態に係る食器具１の斜視図である。（ｂ）（ｃ）食器具１の使用例を説明するための説明図である。
【図２】（ａ）本考案の第二の実施形態に係る食器具２の斜視図である。（ｂ）（ｃ）食器具２の使用例を説明するための説明図である。
【図３】（ａ）本考案の第三の実施形態に係る食器具３の斜視図である。（ｂ）食器具３の使用例を説明するための説明図である。
【図４】本考案の第四の実施形態に係る食器具４の斜視図である。
【図５】本考案の第五の実施形態に係る食器具５の斜視図である。
【図６】本考案の第六の実施形態に係る食器具６の斜視図である。
【図７】（ａ）本考案の第七の実施形態に係る食器具７の使用例を説明するための説明図である。（ｂ）食器具７の把持部７０の説明図である。（ｃ）把持部７０のＩ−Ｉ’断面を矢視方向Ａから見た際の断面図である。
【考案を実施するための形態】
【０００９】
本考案の実施の形態について、以下、図面を参照しながら説明する。
【００１０】
＜第一の実施形態＞
図１（ａ）は、本考案の第一の実施形態に係る食器具１の斜視図である。図１（ｂ）及び図１（ｃ）は、食器具１の使用例を説明するための説明図である。
【００１１】
図１（ａ）に示すように、食器具１は、食品を載せるための皿であって、略楕円形の底面１１と、該底面から略上方向へ立ち上がった側面１２と、を有している。
【００１２】
側面１２の縁部１３には、任意の点Ａから略等間隔の位置に、戴置部１４としての切り欠き状の溝部１４ａ及び１４ｂが形成されている。利用者は、戴置対象の食器具（主に全体又は柄等、少なくとも一部が棒状の食器具、例えば、箸９１やスプーン９２、フォーク９３、ナイフ等）を、図１（ｃ）に示すように溝部１４ａ又は１４ｂの一方に立てかけたり、図１（ｂ）に示すように両方の溝部に掛け渡して置いたりすることで、食器具１に安定的に載置することができる。
【００１３】
なお、２つの溝部１４ａ及び１４ｂは、楕円形の底面１１の焦点Ｃ方向を向くように構成されていることが望ましい。これによれば、例えば２つの溝部１４ａと１４ｂにフォーク、ナイフを夫々立てかけた場合、これらは焦点Ｃ付近で交差した状態で安定して保持される。
【００１４】
なお、縁部１３は、側面１２が任意の点Ａで最も低く、任意の点Ａと略対向する点である点Ｂで最も高くなるよう傾斜する。周囲より高く形成された点Ｂ付近の側面である掬い当て部１５は、側面１２が底面１１に対して急角度（例えば、約８０度）に立ち上がるよう形成されており、利用者は、図１（ｃ）に示すように、スプーン９２等で食材を楽に掬い上げることができる。なお、掬い当て部１５を外方向に湾曲させれば、よりその効果が高まる。
【００１５】
また、任意の点Ａ及び点Ｂは、楕円形の底面１１の長軸の両端に形成されていることが望ましい。これにより、戴置対象の食器具を溝部１４ａ及び１４ｂに掛け渡して保持させても、皿を広く使うことができる。
【００１６】
さらに、溝部１４ａから１４ｂまでの距離は、ある程度離れていることが望ましい（例えば、５ｃｍ以上）。これにより、戴置対象の食器具の掛け渡し幅が大きくなり、より安定的に保持できる。
【００１７】
＜第二の実施形態＞
図２（ａ）は、本考案の第二の実施形態に係る食器具２の斜視図である。図２（ｂ）及び図２（ｃ）は、食器具２の使用例を説明するための説明図である。なお、以下の各実施形態では、上述の実施形態と同じ部分については同じ符号を付して、その詳細な説明を省略する。
【００１８】
本実施形態に係る食器具２は、第一の実施形態に係る食器具１とほぼ同じ構成であるが、溝部１４ａと１４ｂとの間に、突起部２４ａが構成されている戴置部２４を有する点で、食器具１とは異なる。
【００１９】
食器具２は、図２（ａ）に示すように、略楕円形の底面２１と、該底面から略上方向へ立ち上がった側面２２とを有している。
【００２０】
側面２２には、２つの溝部１４ａ及び１４ｂと、該溝部の間に縁部２３が外方向斜め上向きに延出した突起部２４ａとが形成され、戴置部２４を構成している。利用者は、図１（ｂ）（ｃ）に示すように、箸９１やフォーク９３を溝部１４ａと１４ｂに掛け渡して置いたり、溝部１４ａ又は１４ｂの一方に立てかけたりすることができる。またその際、戴置対象の食器具は突起部２４ａによって動きが係止されるため、多少傾けても転がり落ちたりせず、食器具２により安定的に載置される。
【００２１】
なお、ここでは突起部２４ａの位置は底面の短軸の一端側としている。これによれば、図２（ｂ）のように奥側に箸を配置することで、料理を盛りつけたり、食べたりする際に突起部２４ａが邪魔になることがない。もちろんこれに限らず、突起部２４ａは、溝部１４ａと１４ｂとに挟まれていれば縁部２３のどの位置に形成されていてもよい。
【００２２】
また、底面２１には、その楕円形の短軸で底面を二分するように、三角柱を横方向に寝かせた畝形状の仕切部２５が形成されている。これにより、図２（ｂ）に示すように食品を取り分ける際、皿内に料理を分離して配置できるため、食品どうしが触れて味が移ったり、色が付いたり、一緒に摘んでしまうことを防止できる。もちろん、仕切部２５の位置や数、方向はこれに限らず、どのように底面２１を区切ってもよい。
【００２３】
＜第三の実施形態＞
図３（ａ）は、本考案の第三の実施形態に係る食器具３の斜視図である。図３（ｂ）は、食器具３の使用例を説明するための説明図である。
【００２４】
本実施形態に係る食器具３は、第一の実施形態に係る食器具１とほぼ同じ構成であるが、溝部がさらに設けられている戴置部３４を有する点で、食器具１とは異なる。
【００２５】
食器具３は、溝部１４ｂの点Ｂの側にさらなる溝部１４ｃが形成されており、合計３つの溝部を有している。溝部１４ａと、溝部１４ｂ及び１４ｃとは、略対向する向きに形成されており、図３（ａ）及び（ｂ）に示すように、溝部１４ａと溝部１４ｂ、又は、溝部１４ａと溝部１４ｃに戴置対象の食器具を掛け渡すことが可能な構成となっている。この際、どの溝部に掛け渡すかで掛け幅が異なるため、安定性も異なる（溝部１４ａと溝部１４ｃの方が、掛け幅が大きくより安定する）。
【００２６】
また、図３（ｂ）に示すように、一つの溝部に複数の食器具を戴置してもよい。その際、複数の食器具を置くために、特定の溝部（ここでは溝部１４ａ）を深く構成することもできる。さらに、溝部の数は上記に限らず、４つ以上設けてもよい。
【００２７】
このような食器具３によれば、利用者は、複数の戴置対象の食器具を好む位置の溝部に戴置することが可能となるため、食品の位置や量、盛り付け等により適した利用が可能となる。
【００２８】
＜第四の実施形態＞
図４は、本考案の第四の実施形態に係る食器具４の斜視図である。本実施形態に係る食器具４は、第一の実施形態に係る食器具１とほぼ同じ構成であるが、溝部１４ｂよりも高い位置に溝部４４ａが設けられている戴置部４４を有する点で、食器具１とは異なる。
【００２９】
食器具４には、溝部１４ｂに替えて、縁部４３が外方向斜め上向きに延出した突起に凹みを設けた溝部４４ａが形成されている。なお、溝部１４ａと溝部４４ａとでは、高さが溝部４４ａの方がやや高い。これにより、図４に示すように箸９１を掛け渡した場合、箸が略水平に掛けられる。即ち、箸の持ち手側と先端側（持ち手とは逆側）の太さの差を溝部の高さにより調整することで、箸が水平に保たれ、溝部から滑り落ちるのを防止できる。また、スプーンやフォークのネック部分を溝部４４ａに、持ち手部分を１４ａに掛ければ、スプーン及びフォークが凹み部分で係止されるため、より安定的にこれらを保持することができる。
【００３０】
＜第五の実施形態＞
図５は、本考案の第五の実施形態に係る食器具５の斜視図である。本実施形態に係る食器具５は、第四の実施形態に係る食器具４とほぼ同じ構成であるが、溝部４４ａに替えて、貫通孔５４ｂを有する戴置部５４を備えている点で、食器具４とは異なる。
【００３１】
食器具５には、縁部５３が上方向に延出した突起に設けられた貫通孔５４ａが形成されている。貫通孔５４ａは、図５に示すように、箸９１等の戴置対象の食器具の一端を溝部１４ａに戴置した際に、他端を通すことが可能な方向に向けられている。このような貫通孔５４ａにより、ここを通した箸等は転落が規制される。なお、貫通孔５４ａの位置や数は上記に限らず、任意の位置に適宜形成することができる。例えば、溝部１４ａも貫通孔で構成すれば、箸等の棒状の食器具をより安定して保持することができる。
【００３２】
＜第六の実施形態＞
図６は、本考案の第六の実施形態に係る食器具６の斜視図である。本実施形態に係る食器具６は、第三の実施形態に係る食器具３とほぼ同じ構成であるが、さらに把持部６０を有している点で、食器具３とは異なる。
【００３３】
食器具６には、最も高さのある側面である掬い当て部１５の外周面に、把持部６０が形成されている。把持部６０には、湾曲した周側面６１と側面６２が形成されており、該側面６２を貫通する略縦方向に並んだ２つの貫通孔６２ａ及び６２ｂを有する。このような貫通孔に指を通すことで、利用者は安定して把持部６０を把持することができる。また、利用者が食器具６を持ち運ぶ際には、溝部１４ａ〜１４ｃによって他の食器具も安定的に保持されるために、両手が塞がることなく、利便性よく使用できる。
【００３４】
＜第七の実施形態＞
図７（ａ）は、本考案の第七の実施形態に係る食器具７の使用例を説明するための説明図である。図７（ｂ）は、食器具７の把持部７０の説明図、図７（ｃ）は、把持部７０のＩ−Ｉ’断面を矢視方向Ａから見た際の断面図である。
【００３５】
本実施形態に係る食器具７は、第六の実施形態に係る食器具６とほぼ同じ構成であるが、把持部７０の形状が異なる。
【００３６】
食器具７の把持部７０は、図７（ｂ）に示すように、湾曲した周側面７１と側面７２とから形成される鉤状の部材であり、該側面７２には、上側に、半すり鉢状（下が窄まり、上に行くほど徐々に径が大きくなる形状）、或いは半円錐形状に抉れた当接部７２ａが、下側に、半円柱形状に抉れた当接部７２ｂが形成されている。なお、当接部７２ａ及び７２ｂは、側面７２の一方の面にのみ形成されていてもよいし、両面に形成されていてもよい。
【００３７】
このような構成の把持部７０は、図７（ａ）に示すように、利用者が一般的なワイングラス１００を食器具７と共に安定的に保持することを可能とする。図７（ｃ）に、図７（ｂ）のＩ−Ｉ’断面を矢視方向Ａから見た際の把持部７０断面図を示す。側面７２にワイングラス１００を当接させると、ワイングラス１００のカップ部９４とステム部９５の繋ぎ部分に当接部７２ａが、ステム部９５の下方に当接部７２ｂが沿うように当接する。
【００３８】
これにより利用者は、食器具７の把持部７０を、ワイングラス１００と共に安定的に保持できるため、複数の食器具を片手で持つことも可能となる。また、当接部の形状によっては、多種多様な食器具を安定的に保持することが可能となる。
【００３９】
以上、本考案に係る食器具の実施形態について説明した。このような構成の食器具によれば、戴置対象の食器具を安定的に保持可能であると共に、目立ち難く、違和感のないデザインが可能となる。また、別途部材を必要とせず、皿と一体となった戴置部は、洗浄性が高く、食事もしやすい。
【００４０】
なお、上記の本考案の実施形態は、本考案の要旨と範囲を例示することを意図し、限定するものではない。各実施形態に係る構成を組み合わせても良く、他の多くの代替物、修正および変形例が当業者にとって明らかである。
【００４１】
例えば、戴置部の位置は上記に限定されず、戴置対象の食器具を立てかけるだけであれば、上記何れかの形状の戴置部が少なくとも一ヶ所にあれば足りる。一方で、掛け渡して保持する場合には、少なくとも二カ所に構成されていればよい。なお、複数の戴置部を構成する場合には、上記実施形態に記載の形状のものを自由に組み合わせることが可能である。複数の戴置部を設ける場合には、その距離や設けられる方向、高さの形状等によって、掛け幅や角度が異なるため、戴置される食器具の安定性も変化するため、戴置部の形状を戴置対象の食器具に合わせて設計すれば、好適な組み合わせを実現できる。
【００４２】
また例えば、全体の形状は楕円形に限定されず、菱形、長方形、四角形、瓢箪型等、どのような形状としてもよい。さらに、溝部の形状も上記に限らず、鉤状やクランク状等、戴置対象の食器具を係止可能なものであれば、どのようなものでもよい。
【００４３】
また、上記の食器具の素材には任意のものを用いることができる。例えば、陶器、磁器、プラスチック、シリコンゴム、ステンレス等の金属が挙げられる。戴置されるスプーンやフォークは、柄が棒状のものが望ましい。
【００４４】
さらに、溝部や貫通孔の内周、当接部の表面のみ、高い摩擦力を有する部材で形成してもよい。これにより、戴置対象の食器具は滑りが抑制され、より確実に保持される。
【符号の説明】
【００４５】
１〜７：食器具、１１・２１：底面、１２・２２：側面、１３・２３・４３・５３：縁部、１４・２４・３４・４４・５４：戴置部、１４ａ〜ｃ・４４ａ：溝部、１５：掬い当て部、２４ａ：突起部、２５：仕切部、５４ａ〜ｂ：貫通孔、６０・７０：把持部、６１・７１：周側面、６２・７２：側面、６２ａ・６２ｂ：貫通孔、７２ａ・７２ｂ：当接部、９１：箸、９２：スプーン、９３：フォーク、９４：カップ部、９５：ステム部、１００：ワイングラス。
【図１】
0003169517.tif 000003
【図２】
0003169517.tif 000004
【図３】
0003169517.tif 000005
【図４】
0003169517.tif 000006
【図５】
0003169517.tif 000007
【図６】
0003169517.tif 000008
【図７】
0003169517.tif 000009